(57)【要約】【課題】  タグからの情報の読み取りを簡単な構成で、且つ短時間で行うことができるプリンタ装置を得る。【解決手段】  複数のタグ３６〜３９それぞれが記録しているインクカートリッジ２２ａ〜２２ｄのインク消耗量を示す情報を読み出すときに情報読み出し指令と各タグ３６〜３９を特定するＩＤを無線信号に変換して送信する。これにより、１つの送信アンテナ５４と１つの送信回路５５で、一度に全てのタグ３６〜３９に対して無線信号を送信することが可能になる。また、切り替えスイッチ５７で受信アンテナ５０〜５３を１つずつ切り替えることで、１つの受信回路５６で全てのタグ３６〜３９からの無線信号を受信することが可能になる。【選択図】      図１
2005234853.tif 000002
【特許請求の範囲】
【請求項１】
記録情報を無線送信する送信機能を備えたタグに対して前記記録情報の読み出しを行うタグ・リーダ／ライタであって、
１つの送信アンテナと、
少なくとも前記タグが使用される数と同数の受信アンテナと、
前記使用される数のタグそれぞれを特定する識別情報を付加して情報読み出し指令を前記送信アンテナから送信する送信手段と、
前記複数の受信アンテナを択一的に切り替える切り替え手段と、
前記切り替え手段により切り替えられた前記受信アンテナを用いてその受信アンテナに隣接する前記タグからの無線信号を受信し、そのタグの記録情報を復調する受信手段と、
を具備するタグ・リーダ／ライタ。
【請求項２】
プリンタ装置本体で使用される消耗品を収容する複数の消耗品収容容器それぞれに設けられ、識別情報を記憶すると共に前記消耗品の残量等を示す消耗品情報を記憶し、プリンタ装置本体からの情報読み出し指令を受信した場合に前記消耗品情報を送信するタグに対し、前記消耗品情報の読み出しを行うプリンタ装置であって、
１つの送信アンテナと、
少なくとも前記複数のタグと同数の受信アンテナと、
前記複数のタグそれぞれを特定する識別情報を付加して情報読み出し指令を前記送信アンテナから送信する送信手段と、
前記複数の受信アンテナを択一的に切り替える切り替え手段と、
前記切り替え手段により切り替えられた前記受信アンテナを用いてその受信アンテナに隣接する前記タグからの無線信号を受信し、そのタグに記録された消耗品情報を復調する受信手段と、
を具備するプリンタ装置。
【請求項３】
前記受信手段で復調された消耗品情報に基づいて警報を出力する警報出力手段を具備する請求項２に記載のプリンタ装置。
【発明の詳細な説明】
【技術分野】
【０００１】
本発明は、タグに対して情報の書き込みと読み出しを行うタグ・リーダ／ライタ、及び、このタグ・リーダ／ライタと、カートリッジ等の消耗品収容容器におけるインクやトナーなどの消耗品の残量等を検出するタグとを備えたプリンタ装置に関する。
【背景技術】
【０００２】
従来、プリンタ装置には、使用するカートリッジなどの消耗品収容容器（以下、単にカートリッジという）が製造メーカ指定の純正品であるか否かを判定する機能や、カートリッジ内の消耗品（インク、トナーなど）の残量を検出する機能等を有しているものがある（例えば、特許文献１又は特許文献２参照）。
【０００３】
例えば、特許文献１では、カートリッジ側には同定情報やインク消耗量情報などの情報を記憶させるＩＣチップを設け、装置本体側には該チップと交信するための結合コイルを設けて、装置本体側がその結合コイルを介して同定情報を取得することで、カートリッジが純正品であることを認識し、またインク消耗量情報を取得することでインクの消耗量を認識するようにしている。なお、ＩＣチップは「非接触リーダ／ライタ用タグ」と呼ばれ、以下の説明では単に「タグ」と呼ぶこととする。
【０００４】
【特許文献１】特開２０００−２４６９２１号公報（第５頁、第６頁、第１図）
【特許文献２】特開２００２−３６５２７号公報（第６頁、第５図）
【発明の開示】
【発明が解決しようとする課題】
【０００５】
しかしながら、上述した従来のプリンタ装置が、例えばカラー対応の場合には、３色、４色あるいは６色のカラーカートリッジを用意することになるが、それぞれのカートリッジにタグを設けて各インク消耗量情報等を取得しようとすると、タグ・リーダ／ライタは、カートリッジの数と同数の送受信アンテナと送受信回路が必要となり、そのため装置が割高になってしまう。そこで、タグ・リーダ／ライタとしては、送受信アンテナそれぞれを共通のものにする、つまり、１つのアンテナで送信と受信を行う構成が考慮される。
【０００６】
図６は４個のタグ１〜４に記録された情報の読み取りを可能とし、さらに送受信アンテナを共通にしたプリンタ装置の構成を示すブロック図である。
この図に示すプリンタ装置は、４個のタグ１〜４それぞれに対向配置可能な４つのタグ・リーダ／ライタ５〜８と、各タグ・リーダ／ライタ５〜８を制御する制御部１０とから構成される。各タグ・リーダ／ライタ５〜８は、送受信共用のアンテナ１１と、送信データと受信データを扱うロジック回路１２と、ロジック回路１２から入力される送信データを変調して無線信号を生成しアンテナ１１から送信する送信回路１３と、アンテナ１１を介して受信したタグからの無線信号を受信して受信データを復調し、ロジック回路１２に入力する受信回路１４とから構成される。ロジック回路１２から出力される送信データにはタグに対してインク消耗量情報等を要求する指令が含まれている。
【０００７】
各タグ・リーダ／ライタ５〜８を制御する制御部１０は、各タグ１〜４からカラーカートリッジ（図示略）のインク消耗量情報等を読み取る場合、タグ・リーダ／ライタ５、タグ・リーダ／ライタ６、タグ・リーダ／ライタ７、タグ・リーダ／ライタ８の順で動作させ、更に各タグ・リーダ／ライタ５〜８の動作において、時間差を設けて送信と受信を行わせる。
【０００８】
すなわち、まずタグ・リーダ／ライタ５に対し、時間差を設けて送信と受信を行わせ、タグ１からのインク消耗量情報等を取得する。次に、タグ・リーダ／ライタ６に対し、時間差を設けて送信と受信を行わせ、タグ２からのインク消耗量情報等を取得する。次に、タグ・リーダ／ライタ７に対し、時間差を設けて送信と受信を行わせ、タグ３からのインク消耗量情報等を取得する。最後に、タグ・リーダ／ライタ８に対し、時間差を設けて送信と受信を行わせ、タグ４からのインク消耗量情報等を取得する。
【０００９】
このように、図６に示すプリンタ装置は、送受信共用のアンテナ１１を備えてコストダウンを図っているものの、タグ１〜４の数に応じた数のタグ・リーダ／ライタ５〜８を有することから装置自体が高価格になってしまう。また、タグ・リーダ／ライタ５〜８を順番に動作させるとともに、それぞれの動作において時間差を設けて送信と受信を行うので、全体的な情報の読み出し時間が長くなってしまう。
【００１０】
本発明は係る点に鑑みてなされたものであり、タグからの情報の読み出しを簡単な構成で、且つ、短時間で行うことができるタグ・リーダ／ライタ及びプリンタ装置を提供することを目的とする。
【課題を解決するための手段】
【００１１】
上記目的は下記構成により達成される。
（１）  記録情報を無線送信する送信機能を備えたタグに対して前記記録情報の読み出しを行うタグ・リーダ／ライタであって、１つの送信アンテナと、少なくとも前記タグが使用される数と同数の受信アンテナと、前記使用される数のタグそれぞれを特定する識別情報を付加して情報読み出し指令を前記送信アンテナから送信する送信手段と、前記複数の受信アンテナを択一的に切り替える切り替え手段と、前記切り替え手段により切り替えられた前記受信アンテナを用いてその受信アンテナに隣接する前記タグからの無線信号を受信し、そのタグの記録情報を復調する受信手段と、を具備する。
【００１２】
（２）  プリンタ装置本体で使用される消耗品を収容する複数の消耗品収容容器それぞれに設けられ、識別情報を記憶すると共に前記消耗品の残量等を示す消耗品情報を記憶し、プリンタ装置本体からの情報読み出し指令を受信した場合に前記消耗品情報を送信するタグに対し、前記消耗品情報の読み出しを行うプリンタ装置であって、１つの送信アンテナと、少なくとも前記複数のタグと同数の受信アンテナと、前記複数のタグそれぞれを特定する識別情報を付加して情報読み出し指令を前記送信アンテナから送信する送信手段と、前記複数の受信アンテナを択一的に切り替える切り替え手段と、前記切り替え手段により切り替えられた前記受信アンテナを用いてその受信アンテナに隣接する前記タグからの無線信号を受信し、そのタグに記録された消耗品情報を復調する受信手段と、を具備する。
【００１３】
（３）  上記請求項２に記載のプリンタ装置において、前記受信手段で復調された消耗品消耗量情報に基づいて警報を出力する警報出力手段を具備する。
【発明の効果】
【００１４】
上記（１）に記載のタグ・リーダ／ライタでは、複数のタグそれぞれが記録している情報を読み出すときに、情報読み出し指令と各タグを特定する識別情報を無線信号に変換して送信するので、１つの送信アンテナと１つの送信手段で、一度に全てのタグに対して無線信号を送信することができる。すなわち、各タグの識別情報を送信することで、各タグが、受信した情報読み出し指定が自分自身に宛てに送られたものかどうかを確認することができるので、一度に全てのタグに対して無線信号を送信することが可能となる。
【００１５】
また、切り替え手段で複数の受信アンテナを択一的に切り替えるので、１つの受信手段で全てのタグからの無線信号を受信することができる。また、複数のタグそれぞれに受信アンテナを隣接させることができるので、各タグの送信出力が微弱であってもそれらからの無線信号を効率良く受信することができる。
【００１６】
上記（２）に記載のプリンタ装置では、複数のタグそれぞれが記録している消耗品収容容器の消耗品の消耗量を示す消耗品消耗量情報を読み出すときに、情報読み出し指令と各タグを特定する識別情報を無線信号に変換して送信するので、１つの送信アンテナと１つの送信手段で、一度に全てのタグに対して無線信号を送信することができる。すなわち、各タグの識別情報を送信することで、各タグが、受信した情報読み出し指定が自分自身に宛てに送られたものかどうかを確認することができるので、一度に全てのタグに対して無線信号を送信することが可能となる。
【００１７】
また、切り替え手段で複数の受信アンテナを択一的に切り替えるので、１つの受信手段で全てのタグからの無線信号を受信することができる。また、複数のタグそれぞれに受信アンテナを隣接させることができるので、各タグの送信出力が微弱であってもそれらからの無線信号を効率良く受信することができる。
【００１８】
このように、送信アンテナ、送信手段及び受信手段それぞれが１つで済むので、装置のコストダウン並びに小型化が図れる。さらに、各タグに対して一斉に情報読み出し指令を与え、これによって各タグから送信される消耗品情報を複数の受信アンテナで受信するので、複数のタグ・リーダ／ライタを順次切り替えるとともに、各タグ・リーダ／ライタで時間差を持たせて送信と受信を行うようにした従来のプリンタ装置と比べて、より短い時間で記録情報を読み出すことができる。
【００１９】
上記（３）に記載のプリンタ装置では、受信手段で復調された消耗品情報に基づいて警報を出力するので、例えば消耗品情報として消耗品の残量が所定値以下である場合に、ユーザは消耗品収容容器の交換時期を容易に知ることができる。
【発明を実施するための最良の形態】
【００２０】
以下、本発明を実施するための好適な実施の形態について、図面を参照して詳細に説明する。
図１は、本発明の一実施の形態に係るプリンタ装置の概観斜視図であり、図２は本実施の形態に係るプリンタ装置の概略構成を示すブロック図である。
なお、本実施の形態では、プリンタ装置がインクジェット式のものについて説明する。
【００２１】
この実施の形態のプリンタ装置２０は、４つのインクカートリッジ２２ａ、２２ｂ、２２ｃ、２２ｄを収容するプリンタヘッド２３を有しており、このプリンタヘッド２３はキャリッジ２４に支持されてキャリッジシャフト２５によって主走査方向（矢印Ｘで示される方向）に移動可能に案内される。
また、プリンタ装置２０は、記録紙２６を搬送する搬送ローラ（図示略）を有しており、この搬送ローラは記録紙２６を副走査方向（矢印Ｙで示される方向）に搬送する。
プリンタ装置２０の装置本体の上面には電源のオン・オフを行うとともに印字形態などを操作及び表示するスイッチやＬＥＤ（発光ダイオード）が配置されたコントロールパネル２７が設けられている。
【００２２】
プリンタ装置２０は、図２のブロック図に示すように、上述したコントロールパネル２７と、プリンタヘッド２３、キャリッジ２４、キャリッジシャフト２５及び図示せぬ搬送ローラを含むプリンタ部２８と、装置本体を制御するプログラムを記憶したメモリ２９と、インクカートリッジ２２ａ〜２２ｄそれぞれに設けられた非接触リーダ／ライタ用タグ（情報記録用タグ、以下単に“タグ“と言う）３６〜３９に対してデータの書き込み及び読み出しを行うタグ・リーダ／ライタ３０と、メモリ２９に記憶されているプログラムに従って装置各部を制御する制御部３１とを備えて構成される。
【００２３】
制御部３１は、図示せぬコンピュータ機器などから専用ケーブルを介して印字信号が送られて来ると、プリンタ部２８に指示を与えてキャリッジ２４を主走査方向（矢印Ｘ方向）に移動させながら適時インクを記録紙２６に吐出させる。そして、指定された印字幅の印字終了後、記録紙２６を搬送ローラ（図示せず）等により指定された幅だけ搬送し、次の印字幅の印字に備えることになる。このサイクルを繰り返して記録紙２６に所定の印刷を行う。また、制御部３１は、タグ・リーダ／ライタ３０を定期的に動作させて、インクカートリッジ２２ａ〜２２ｄそれぞれに設けられたタグ３６〜３９との間でデータの授受を行わせて、インクカートリッジ２２ａ〜２２ｄのそれぞれにおけるインクの消耗量を検出する。
【００２４】
図３は、プリンタヘッド２３とインクカートリッジ２２ａ〜２２ｄの概観斜視図である。
図３において、プリンタヘッド２３には、インクの消耗による交換を可能とするため、インクカートリッジ２２ａ〜２２ｄがプリンタヘッド２３に対して着脱自在に取り付けられる。また、各インクカートリッジ２２ａ〜２２ｄには、上述したタグ３６〜３９がそれぞれ装着されている。これらタグ３６〜３９は、装置本体側のタグ・リーダ／ライタ３０との間で非接触に交信を行い、タグ・リーダ／ライタ３０からのデータ読み出し指令に対してインク消耗量や純正品であることを示すＩＤ（識別情報）などの各種情報を送信する。この場合、ＩＤは工場出荷前に書き込まれる情報で、この情報については書き換え不能になっている。インク消耗量は光学センサ方式又は印刷ドットカウント方式により、印刷が行われる毎に検出されて記憶される。
【００２５】
図４は、タグ３６の概観構成を示す平面図である。なお、他のタグ３７及び３８及び３９についてはタグ３６と同様の構成であるので、その説明を省略する。
図４において、タグ３６の基板４０上には、当該タグ３６における全ての機能を司るＩＣチップ（半導体素子）４１と結合コイル４２とが実装されている。
結合コイル４２は、銅やアルミニウムなどを使用したエッチングでパターン形成される。図示のように結合コイル４２は渦巻状に形成されており、その一端がＩＣチップ４１のアンテナ端子の一端に接続され、他端がＩＣチップ４１のアンテナ端子の他端に接続される。この場合、図示のように結合コイル４２の一部４２ａが他の部分と重ならないように基板４０の裏面側に迂回するように形成される。
【００２６】
タグ３６〜３９は上述のように構成されており、これらが装着されたプリンタヘッド２３が待機位置（インク交換位置も含む初期位置）まで来ると、装置本体のタグ・リーダ／ライタ３０から送信される電磁波を受けてＩＣチップ４１が動作できる電圧が結合コイル４２に誘起する。そして、誘起した電圧によってＩＣチップ４１が動作を開始し、タグ・リーダ／ライタ３０との間でデータの送受信を行う。この場合、タグ・リーダ／ライタ３０が各タグ３６〜３９のメモリに記憶されているデータを読み出すときには、データ読み出し指令の送信データで変調させた搬送波を送信する。各タグ３６〜３９のＩＣチップ４１は、タグ・リーダ／ライタ３０からのデータ読出し指令を受信すると、自己のメモリに記憶しているＩＤとインク消耗量などの各種情報を送信する。
【００２７】
図５は、タグ・リーダ／ライタ３０の構成を示すブロック図である。
図５において、タグ・リーダ／ライタ３０は、タグ３６〜３９の数と同数の受信アンテナ５０〜５３と、１つの送信アンテナ５４及び送信回路５５及び受信回路５６と、切り替えスイッチ５７と、ロジック回路（制御回路）５８とを備えて構成される。受信アンテナ５０〜５３と送信アンテナ５４は、それぞれタグ３６〜３９の結合コイル４２と同様のスパイラル状に形成されている。
受信アンテナ５０〜５３はタグ３６〜３９の配置間隔と同じ間隔で配置されており、プリンタヘッド２３が待機位置に来たときにタグ３６〜３９と隣接し、且つ対向するようになっている。
【００２８】
送信回路５５は、ロジック回路５８から入力された送信データと搬送波（キャリア）から無線信号を生成して送信アンテナ５４から送信する。この場合、送信データには各タグ３６〜３９のそれぞれを指定するＩＤ（固有情報）を付加して送信する。
受信回路５６は、受信アンテナ５０〜５３を介して各タグ３６〜３９から送信された無線信号を受信して受信データを復調し、ロジック回路５８に入力する。この場合、ロジック回路５８が切り替えスイッチ５７を制御して、受信アンテナ５０〜５３を極短時間で択一的に切り替えて各タグ３６〜３９からの無線信号を順次に受信する。すなわち、受信アンテナ５０に切り替えてタグ３６から送信される無線信号を受信し、受信アンテナ５１に切り替えてタグ３７から送信される無線信号を受信し、受信アンテナ５２に切り替えてタグ３８から送信される送信信号を受信し、受信アンテナ５３に切り替えてタグ３９から送信される送信信号を受信する。
【００２９】
ロジック回路（制御回路）５８は、制御部３１からの指令に従って送信回路５５に送信データと搬送波を入力する一方、受信回路５６から受信データを取り込んで制御部３１に渡す。特に送信と受信を連動させており、タグ３６〜３９との間でデータの受信を行う際には、各タグ３６〜３９を指定するＩＤを付与した送信データを送信回路５５に供給するとともに、切り替えスイッチ５７を制御して受信アンテナ５０〜５３を極短時間で切り替える。
【００３０】
送信回路５５及びロジック回路５８は送信手段として機能する。また、切り替えスイッチ５７及びロジック回路５８は切り替え手段として機能する。また、受信回路５６及びロジック回路５８は受信手段として機能する。また、制御部３１及びコントロールパネル２７は警報出力手段として機能する。
【００３１】
次に、この一実施の形態のプリンタ装置におけるインク消耗量検出処理動作について説明する。
タグ・リーダ／ライタ３０を動作させるタイミングになると、制御部３１はタグ・リーダ／ライタ３０に対して各タグ３６〜３９の情報を読み取る指令を与える。タグ・リーダ／ライタ３０にタグ情報読み取り指令が与えられると、タグ・リーダ／ライタ３０のロジック回路５８が送信回路５５に各タグ３６〜３９を指定するＩＤを含む送信データとその送信データの送信に用いる搬送波を与える。また同時に切り替えスイッチ５７を制御して対応する受信アンテナ５０〜５３の切り替えを行う。
【００３２】
これにより、送信回路５５からタグ３６〜３９を指定する無線信号が出力されて、送信アンテナ５４から送信される。送信アンテナ５４から送信された無線信号はタグ３６〜３９それぞれで受信されるが、各タグ３６〜３９は自己のＩＤと一致する場合に無線信号によって送られてくる送信データを取り込む。即ち、タグ３６〜３９それぞれのＩＣチップ４１（図４参照）は、自己のメモリに記憶しているＩＤとタグ・リーダ／ライタ３０から送信される無線信号に含まれるＩＤとを比較し、一致する場合に受信した無線信号に含まれる送信データを読み込む。この場合、無線信号に各タグ３６〜３９それぞれに対応したＩＤが含まれているものとすると、各タグのＩＣチップ４１はそのまま送信データを読み込む。これに対して、無線信号に各タグ３６〜３９それぞれに対応したＩＤが含まれていない場合は各タグのＩＣチップ４１は送信データを読み込まない。すなわち、送信データに基づく動作を行わない。
【００３３】
タグ３６〜３９それぞれのＩＣチップ４１は、送信データがデータ読出し指令であると判断すると、インクカートリッジ２２ａ〜２２ｄのインク消耗量を示す情報を搬送波に乗せて無線信号として送信する。すなわち、タグ３６のＩＣチップ４１はインクカートリッジ２２ａのインク消耗量を示す情報を搬送波に乗せて無線信号として送信する。また、タグ３７のＩＣチップ４１は、インクカートリッジ２２ｂのインク消耗量を示す情報を搬送波に乗せて無線信号として送信する。また、タグ３８のＩＣチップ４１は、インクカートリッジ２２ｃのインク消耗量を示す情報を搬送波に乗せて無線信号として送信する。また、タグ３９のＩＣチップ４１は、インクカートリッジ２２ｄのインク消耗量を示す情報を搬送波に乗せて無線信号として送信する。
【００３４】
各タグ３６〜３９から送信された無線信号が受信アンテナ５０〜５３によって捉えられて受信回路５６にて受信される。この際、切り替えスイッチ５７に対して切り替え制御が行われて、各タグ３６〜３９からの無線信号が順次に受信回路５６にて受信される。受信回路５６は、受信した順で無線信号からインク消耗量を示す情報を復調する。すなわち、タグ３６からの無線信号からインクカートリッジ２２ａのインク消耗量を示す情報を復調し、タグ３７からの無線信号からインクカートリッジ２２ｂのインク消耗量を示す情報を復調し、タグ３８からの無線信号からインクカートリッジ２２ｃのインク消耗量を示す情報を復調し、タグ３９からの無線信号からインクカートリッジ２２ｄのインク消耗量を示す情報を復調する。
【００３５】
そして、受信回路５６は、復調したインクカートリッジ２２ａ〜２２ｄそれぞれのインク消耗量を示す情報をロジック回路５８に渡す。ロジック回路５８は、受信回路５６から渡されたインクカートリッジ２２ａ〜２２ｄそれぞれのインク消耗量を示す情報を制御部３１に渡す。これにより、制御部３１はインクカートリッジ２２ａ〜２２ｄそれぞれのインク消耗量を把握する。制御部３１は、インクカートリッジ２２ａ〜２２ｄそれぞれのインク消耗量を把握した後、交換を要するものがあれば、コントロールパネル２７を使用してユーザに通知する。
【００３６】
このように、本実施の形態に係るプリンタ装置２０によれば、タグ３６〜３９のそれぞれが記録しているインクカートリッジ２２ａ〜２２ｄのインク消耗量を示す情報を読み出すときに、情報読み出し指令と各タグ３６〜３９を特定するＩＤを無線信号に変換して送信するので、１つの送信アンテナ５４と１つの送信回路５５で、一度に全てのタグ３６〜３９に対して無線信号を送信することができる。すなわち、各タグ３６〜３９のＩＤを送信することで、各タグ３６〜３９が、受信した情報読み出し指定が自分自身に宛てに送られたものかどうかを確認することができるので、全てのタグ３６〜３９に対して一斉に無線信号を送信することが可能となる。
【００３７】
また、切り替えスイッチ５７で受信アンテナ５０〜４３を１つずつ切り替えるので、１つの受信回路５６で全てのタグ３６〜３９からの無線信号を受信することができる。また、タグ３６〜３９に受信アンテナ５０〜５３を隣接させることができるので、各タグ３６〜３９の送信出力が微弱であってもそれらからの無線信号を効率良く受信することができる。
【００３８】
したがって、送信アンテナ５４、送信回路５５及び受信回路５６のそれぞれが１つで済むので、装置のコストダウン並びに小型化が図れる。さらに、各タグ３６〜３９に対して一斉に情報読み出し指令を与え、これによって各タグ３６〜３９から送信されるインク消耗量を示す情報を受信アンテナ５０〜５３で受信するので、複数のタグ・リーダ／ライタを順次切り替えるとともに、各タグ・リーダ／ライタで時間差を持たせて送信と受信を行うようにした従来のプリンタ装置（図６参照）と比べて、より短い時間で記録情報を読み取ることができる。
【００３９】
なお、本実施の形態では、インクカートリッジを４個使用するものであったが、この数に限定はなく、例えば６個使用する場合は、追加されるインクカートリッジにタグ３６〜３９と同じタグを設けると良い。
【００４０】
また、本実施の形態におけるタグ・リーダ／ラータ３０は、そのもの即ち単体での使用も可能である。複数のタグを使用し、それらの記録情報を一度に読み出すような用途に好適である。この場合、汎用性を考慮して、受信アンテナの数をタグと同数にするのではなく、相当数設けて、使用するタグの数に合わせて使用数を制限するようにすると良い。
【００４１】
なお、本実施の形態では、プリンタ装置の消耗品情報として、インク消耗量について述べたが、他に例えば、インクのプリンタにおける使用条件、使用有効期限、使用温度等に関する情報、あるいは、インクの組成情報、カートリッジ利用の実時間を含む情報等の各種情報を挙げることができる。
【産業上の利用可能性】
【００４２】
カートリッジなどの消耗品収容容器によりインクやトナーなどの消耗品の供給を受けるプリンタ装置に適用が可能である。また、本発明は、複数のタグを使用したタグとリーダライタとからなるシステムにおいて、当該タグとリーダライタとが一定の位置関係にあるシステムにおいて適用が可能である。
【図面の簡単な説明】
【００４３】
【図１】本発明の一実施の形態に係るプリンタ装置の概観構成を示す斜視図である。
【図２】図１に示すプリンタ装置の構成を示すブロック図である。
【図３】図１に示すプリンタ装置のプリンタヘッド及びインクカートリッジを示す斜視図である。
【図４】図１に示すプリンタ装置の非接触リーダ／ライタ用タグの構成を示す図である。
【図５】図１に示すプリンタ装置のリーダ／ライタの構成を示すブロック図である。
【図６】従来のプリンタ装置のリーダ／ライタの構成例を示すブロック図である。
【符号の説明】
【００４４】
２０  プリンタ装置
２２ａ〜２２ｄ  インクカートリッジ
２３  プリンタヘッド
２４  キャリッジ
２５  キャリッジシャフト
２６  記録紙
２７  コントロールパネル
２８  プリンタ部
２９  メモリ
３０  タグ・リーダ／ライタ
３１  制御部
３６〜３９  非接触リーダ／ライタ用タグ
４０  基板
４１  ＩＣチップ
４２、４２ａ  結合コイル
５０〜５３  受信アンテナ
５４  送信アンテナ
５５  送信回路
５６  受信回路
５７  切り替えスイッチ
５８  ロック回路
【図１】
2005234853.tif 000003
【図２】
2005234853.tif 000004
【図３】
2005234853.tif 000005
【図４】
2005234853.tif 000006
【図５】
2005234853.tif 000007
【図６】
2005234853.tif 000008